(57)【要約】【課題】医療機関から発生する医療廃棄物を、医療廃棄物処理装置の予備加熱工程で熱風吹き込みにより予備加熱しようとすると、医療廃棄物中に混入した脱酸素剤等の原因によって該医療廃棄物が異常過熱し、最悪の場合には発火して火災になるおそれがあるので異常過熱を検知し火災を未然に防止することが課題である。【解決手段】脱酸素剤が混入した医療廃棄物（Ｍ）を加熱すると、異常な温度上昇を惹起し発煙又は発火することがある。そこで熱風吹き込み管で吹き込んだ熱風を熱風排気管（１９）で系外に排出するとき、熱風の温度を温度計（２７）でつねに測定監視し、熱風吹き込み温度よりも排気温度が高い場合には廃棄物の異常過熱と見なし、熱風吹き込み配管（２４）上の自動弁（２５）を緊急遮断し、直ちに消火配管（３０）上の自動消火弁（３１）を開き不活性ガスボンベ（２９）から不活性ガスを吹き込み酸欠状態として発煙・発火現象を消火するようにした。【選択図】図７
2008000558.tif 000002
【特許請求の範囲】
【請求項１】
バケットコンベア（１）と、前記バケットコンベア（１）に積載してあるポリ袋又はプラスチックス容器（Ｐ）入りの医療廃棄物（Ｍ）に熱風吹き込み管（１８）を突き刺し熱風を吹き込んで該医療廃棄物（Ｍ）を予備加熱するプリヒーター機構（２）と、前記医療廃棄物（Ｍ）を処理機構（４）まで移送するプッシャー機構（３）と、前記医療廃棄物を加熱・圧縮して滅菌・減容化する処理機構（４）とで構成する医療廃棄物処理装置において、ポリ袋又はプラスチックス容器（Ｐ）入りの医療廃棄物（Ｍ）に熱風吹き込み管（１８）を突き刺し、熱風を吹き込んで該医療廃棄物（Ｍ）を予備加熱する工程において、医療廃棄物（Ｍ）に混入した脱酸素剤等の原因によって該医療廃棄物（Ｍ）が過熱・発火したとき、前記ポリ袋又はプラスチックス容器（Ｐ）の前記熱風吹き込み管（１８）と対向する位置に突き刺した熱風排気管（１９）の排気温度を測定し、排気温度異常時に熱風吹き込みのための配管（２４）を遮断すると同時にポリ袋又はプラスチックス容器（Ｐ）に不活性ガスを吹き込み自動消火することを特徴とする医療廃棄物処理装置の自動消火機構。
【発明の詳細な説明】
【技術分野】
【０００１】本発明は、医療機関で発生する医療廃棄物を院内完全処理するための医療廃棄物処理装置に関するものである。
【背景技術】
【０００２】
【特許文献１】特許公開２００５−０４６８７９号公報
【特許文献２】特許公開２００４−０６５８３８号公報
【特許文献３】特許公開２００４−２９８５８５号公報
【特許文献４】特許公開２００４−１８１０２２号公報
【特許文献５】特許公開２００４−０１６５５２号公報
【特許文献６】特許公開２００３−３１０７４３号公報
【特許文献７】特許公開２００３−２５０８６５号公報
【特許文献８】特許公開２００３−０９３９０９号公報
【特許文献９】特許公開２００３−０７３４９８号公報
【特許文献１０】特許公開２００２−２９１８１３号公報
【特許文献１１】特許公開２００２−１０２８３３号公報
【特許文献１２】特許公開２００２−１０２８１９号公報
【特許文献１３】特許公開２００２−０５９１４４号公報
【特許文献１４】特許公開２００１−３１４８４７号公報
【特許文献１５】特許公開２００１−２５２３４５号公報
【特許文献１６】特許公開２００１−０６１９０８号公報
【発明の開示】
【発明が解決しようとする課題】
【０００３】医療機関から発生する医療廃棄物を、医療廃棄物処理装置の予備加熱工程で熱風吹き込みにより予備加熱しようとすると、医療廃棄物中に混入した脱酸素剤等の原因によって該医療廃棄物が異常過熱し、最悪の場合には発火して火災になるおそれがあるので異常過熱を検知し火災を未然に防止することが課題である。
【課題を解決するための手段】
【０００４】バケットコンベア（１）と、前記バケットコンベア（１）に積載してあるポリ袋又はプラスチックス容器（Ｐ）入りの医療廃棄物（Ｍ）に熱風吹き込み管（１８）を突き刺し熱風を吹き込んで該医療廃棄物（Ｍ）を予備加熱するプリヒーター機構（２）と、前記医療廃棄物（Ｍ）を処理機構（４）まで移送するプッシャー機構（３）と、前記医療廃棄物を加熱・圧縮して滅菌・減容化する処理機構（４）とで構成する医療廃棄物処理装置において、ポリ袋又はプラスチックス容器（Ｐ）入りの医療廃棄物（Ｍ）に熱風吹き込み管（１８）を突き刺し、熱風を吹き込んで該医療廃棄物（Ｍ）を予備加熱する工程において、医療廃棄物（Ｍ）に混入した脱酸素剤等の原因によって該医療廃棄物（Ｍ）が過熱・発火したとき、前記ポリ袋又はプラスチックス容器（Ｐ）の前記熱風吹き込み管（１８）と対向する位置に突き刺した熱風排気管（１９）の排気温度を測定し、排気温度異常時に熱風吹き込みのための配管（２４）を遮断すると同時にポリ袋又はプラスチックス容器（Ｐ）に不活性ガスを吹き込み自動消火する医療廃棄物処理装置の自動消火機構であることを特徴とする。
【発明の効果】
【０００５】
【０００６】上述の発明により、医療廃棄物を熱風吹き込みにより予備加熱し一時的に異常温度に到達しても、直ちに自動消火装置が作動するので発煙や火災の危険性は完全に解消した。
【発明を実施するための最良の形態】
【０００７】発明を実施するための最良の形態について説明する。
［図１］に、本発明を適用した医療廃棄物処理装置の正面立面図を、
［図２］に、本発明を適用した医療廃棄物処理装置の平面図を、
［図３］に、本発明を適用した医療廃棄物処理装置の右側面図を、
［図４］に、本発明を適用した医療廃棄物処理装置のバケットコンベア部模式図を、
［図５］に、本発明を適用した医療廃棄物処理装置のプリヒーター機構のＡ−Ａ断面図を、
［図６］に、本発明を適用した医療廃棄物処理装置の熱風吹き込み並びに排気の模式図を、
［図７］に、本発明を適用した医療廃棄物処理装置の熱風吹き込み、熱風排気並びに自動消火系統を示す模式図を、それぞれ示す。
【実施例】
【０００８】先ず、本発明の実施例の医療廃棄物処理装置全体の機能を説明する。
バケットコンベア（１）に積載したポリ袋又はプラスチックス容器（Ｐ）入りの医療廃棄物（Ｍ）は、前記バケットコンベア（１）がプッシャー機構（３）の方向に前進すると、前記バケットコンベア（１）上に設けてなるプリヒーター機構（２）で自動停止する。前記バケットコンベア（１）が自動停止すると、前記バケットコンベア（１）に積載してあるポリ袋又はプラスチックス容器（Ｐ）入りの医療廃棄物（Ｍ）に前記プリヒーター機構（２）の油圧シリンダー（１１）の駆動力で熱風吹き込み管（１８）及び熱風排気管（１９）を突き刺し、熱風吹き込みと熱風排気によって該医療廃棄物（Ｍ）を予備加熱する。【０００９】このようにバケットコンベア（１）前進及び停止と、プリヒーター機構（２）による医療廃棄物（Ｍ）の予備加熱操作をプリヒーター機構の設置数だけ繰り返すと、該医療廃棄物はプッシャー機構（３）の位置で自動停止し、前記プッシャー機構（３）によって処理機構（４）まで移送される。前記処理機構（４）まで移送された該医療廃棄物（Ｍ）は、処理機構（４）で加熱・圧縮操作によって滅菌・減容化され機外に排出される。【００１０】上述のプリヒーター機構（２）では、ポリ袋又はプラスチックス容器（Ｐ）入りの医療廃棄物（Ｍ）を熱風吹き込みと熱風排気によって予備加熱しているが、ポリ袋又はプラスチックス容器（Ｐ）には純然たる医療廃棄物ばかりでなく、患者を見舞う人が持参したお菓子類の脱酸素剤が混入することも珍しくない。【００１１】前記脱酸素剤が混入した医療廃棄物（Ｍ）を加熱すると、異常な温度上昇を惹起し発煙又は発火することがある。そこで熱風吹き込み管で吹き込んだ熱風を熱風排気管（１９）で系外に排出するとき、熱風の温度を温度計（２７）でつねに測定監視し、熱風吹き込み温度よりも排気温度が高い場合には廃棄物の異常過熱と見なし、熱風吹き込み配管（２４）上の自動弁（２５）を緊急遮断し、直ちに消火配管（３０）上の自動消火弁（３１）を開き不活性ガスボンベ（２９）から不活性ガスを吹き込み酸欠状態として発煙・発火現象を消火するようにした。
【産業上の利用可能性】
【００１２】本発明により、医療廃棄物の院内完全処理技術が完成したので、あらゆる医療機関が率先して医療廃棄物の院内完全処理を実施するよう強く推奨するものである。
【図面の簡単な説明】
【００１３】
【図１】は、本発明を適用した医療廃棄物処理装置の正面立面図である。
【図２】は、本発明を適用した医療廃棄物処理装置の平面図である。
【図３】は、本発明を適用した医療廃棄物処理装置の右側面図である。
【図４】は、本発明を適用した医療廃棄物処理装置のバケットコンベア部模式図である。
【図５】は、本発明を適用した医療廃棄物処理装置のプリヒーター機構のＡ−Ａ断面図である。
【図６】は、本発明を適用した医療廃棄物処理装置の熱風吹き込み並びに排気の模式図である。
【図７】は、本発明を適用した医療廃棄物処理装置の熱風吹き込み、熱風排気並びに自動消火系統を示す模式図である。
【符号の説明】
【００１４】１    バケットコンベア
２    プリヒーター機構
３    プッシャー機構
４    処理機構
５    コンベアフレーム
６    スペーサー
７    バケット受け金具
８    アタッチメント付チェン
９    バケット
１０  バケットガイド
１１  油圧シリンダー
１２  シリンダーロッド
１３  取付金具
１４  可動板
１５  ガイドベアリング
１６  ガイドロッド
１７  取付金具
１８  熱風吹き込み管
１９  熱風排気管
２０  シール材
２１  押し板
２２  ガイド金具
２３  熱風発生機
２４  配管
２５  自動弁
２６  排気管
２７  温度センサー
２８  排気送風機
２９  不活性ガスボンベ
３０  消火配管
３１  自動消火弁
Ｐ    ポリ袋又はプラスチックス容器
Ｍ    医療廃棄物
【図１】
2008000558.tif 000003
【図２】
2008000558.tif 000004
【図３】
2008000558.tif 000005
【図４】
2008000558.tif 000006
【図５】
2008000558.tif 000007
【図６】
2008000558.tif 000008
【図７】
2008000558.tif 000009